(57)【要約】【課題】  配管系において効果的で確実かつ容易にバルブを識別可能にでき、装着作業も簡単であり、大幅なコスト削減が可能であると共に管理や運搬なども容易なバルブ用ハンドルカバーを提供すること。【解決手段】  配管系３０に装着した手動ハンドル２付きのバルブ１であって、ハンドル２に略同様の形態を呈するカバー体１１を装着し、このカバー体１１は、配管系３０の識別表示色に対応した識別色を施したバルブ用ハンドルカバーである。【選択図】      図７
2005273706.tif 000002
【特許請求の範囲】
【請求項１】
配管系に装着した手動ハンドル付きのバルブであって、前記ハンドルに略同様の形態を呈するカバー体を装着し、このカバー体は、前記配管系の識別表示色に対応した識別色を施したことを特徴とするバルブ用ハンドルカバー。
【請求項２】
前記カバー体の外周面には、開閉操作方向、流体名、流れ方向等の表示部を設けた請求項１に記載のバルブ用ハンドルカバー。
【請求項３】
前記手動ハンドルはレバーハンドルであり、このレバーハンドルの外周面に被覆層を包囲し、この被覆層に断面コ字形状のレバー形態を有するカバー体を着脱自在に装着した請求項１又は２に記載のバルブ用ハンドルカバー。
【請求項４】
レバー形態を有するカバー体に折曲部を形成し、この折曲部を前記レバーハンドルの屈曲部位に装着した請求項１乃至３の何れか１項に記載のバルブ用ハンドルカバー。
【請求項５】
カバー体の内周部位に係止突部を形成し、この係止突部でハンドルの外周囲にワンタッチで装着可能に設けた請求項１乃至４の何れか１項に記載のバルブ用ハンドルカバー。
【請求項６】
前記ハンドルにカバー体を両面テープを介して装着した請求項１乃至４の何れか１項に記載のバルブ用ハンドルカバー。
【発明の詳細な説明】
【技術分野】
【０００１】
本発明は、例えば、工場・鉱山・学校・劇場・船舶・車両・航空保安施設や、病院、製薬会社などの配管系に設けられたバルブ用手動ハンドルであって、この手動ハンドルに着脱自在に装着できるバルブ用ハンドルカバーに関する。
【背景技術】
【０００２】
従来より、ＪＩＳ Ｚ ９１０２「配管系の識別表示」に規定されているように、施設等における配管系では、バルブの誤操作を防止するなどの安全を図ること、配管系の取扱いの適正化を図ることなどを目的として、配管系のバルブ・管継手などに近接した位置・部分に塗装やステッカーなどにより識別表示色を施したり、管内の物質の名称を表示してこの配管の識別表示を行うようにしている。
【０００３】
配管の識別表示は、バルブの誤操作を目的とするため、バルブ自体に識別表示を施した場合に最も効果的であるから、バルブ自体に識別表示が要求されることは多い。
特に、バルブのハンドル操作部は、バルブに保温材を装着した場合でも保温材から露出している部位であるため、ハンドル操作部に識別表示を設けるのが一般的である。ハンドル操作部に識別表示を施す場合には、例えば、塗装を施したり、ディッピングカバーと呼ばれる被覆膜によって被覆したりして適宜の識別表示色を施すようにしている。
【０００４】
一方、バルブのハンドルに対して目的に応じて材質、形状、色彩を変えて取り付けるために、バルブのハンドルに対応したカバーに関するバルブのハンドル用カバーについて開示された例がある（例えば、特許文献１参照。）。
【特許文献１】実開昭５８−１２７２７７号公報
【発明の開示】
【発明が解決しようとする課題】
【０００５】
上記のように、ハンドル操作部はバルブに保温工事を施した場合でもバルブ外部に露出している部位であるため、このハンドル操作部に製造者特有の既製の色が施されたハンドルを用いると、配管系のバルブの識別を誤認するおそれがある。
これに対応するためにハンドルに識別表示色による塗装を施したり、ディッピングカバーを被覆することもあるが、これらのバルブは大量生産型の製造工程で製造されているため、識別表示色が多色指定されることにより生産ロットが分割されるとコストに著しい悪影響を及ぼす。また、バルブの商品点数が識別表示色に応じて倍増するので、在庫の管理、物流面での工数が増える等の問題もある。
さらに、特注で限定数生産した後の少量補充は対応が難しいという問題があるばかりでなく、配管設計者によっては特注によるコスト高を嫌い、多数の製造業者からハンドル色の異なる標準製品を集めるなどの必要があった。
【０００６】
また、バルブのハンドルを被覆する手段としては、特許文献１のバルブのハンドル用カバーが提案されているが、このハンドル用カバーは、バルブのハンドルが古くなった場合のサビや汚れ、配管の温度が直接手に伝わること、色彩や形状が単調でインテリアに合わないことなどの欠点をなくすことにあり、配管系の識別表示に対応することにより、上述の課題点を解決するものではない。
【０００７】
本発明は、従来の課題点を解決するため開発したものであり、その目的とするところは、配管系において効果的で確実かつ容易にバルブを識別可能にでき、装着作業も簡単であり、大幅なコスト削減が可能であると共に管理や運搬なども容易なバルブ用ハンドルカバーを提供することにある。
【課題を解決するための手段】
【０００８】
上記の目的を達成するため、請求項１記載の発明は、配管系に装着した手動ハンドル付きのバルブであって、ハンドルに略同様の形態を呈するカバー体を装着し、このカバー体は、配管系の識別表示色に対応した識別色を施したバルブ用ハンドルカバーである。
【０００９】
請求項２記載の発明は、前記カバー体の外周面には、開閉操作方向、流体名、流れ方向等の表示部を設けたバルブ用ハンドルカバーである。
【００１０】
請求項３記載の発明は、前記手動ハンドルはレバーハンドルであり、このレバーハンドルの外周面に被覆層を包囲し、この被覆層に断面コ字形状のレバー形態を有するカバー体を着脱自在に装着したバルブ用ハンドルカバーである。
【００１１】
請求項４記載の発明は、レバー形態を有するカバー体に折曲部を形成し、この折曲部を前記レバーハンドルの屈曲部位に装着したバルブ用ハンドルカバーである。
【００１２】
請求項５記載の発明は、カバー体の内周部位に係止突部を形成し、この係止突部でハンドルの外周囲にワンタッチで装着可能に設けたバルブ用ハンドルカバーである。
【００１３】
請求項６記載の発明は、前記ハンドルにカバー体を両面テープを介して装着したバルブ用ハンドルカバーである。
【発明の効果】
【００１４】
請求項１に係る発明によると、配管系のバルブ用ハンドルに装着することで効果的にバルブを識別することができ、識別色を視認することで容易に識別することができる。また、配管系の識別表示色に対応した識別色であるため、誤認することなく確実に識別することができる装着作業が簡単なバルブ用ハンドルカバーである。また、大幅なコスト削減が可能であり、在庫管理や運搬なども容易なバルブ用ハンドルカバーである。
更に、バルブに対して特注指示をする必要がないため、少ロット生産によるコスト高を回避することができ、また、必要に応じて少量を容易に補充することができるためコストを上昇させることなく配管系の識別表示色に対応させることができる。
【００１５】
請求項２に係る発明によると、配管系におけるバルブの操作方向、バルブ内を流れる流体の種類及びこの流体が流れる方向を表示することにより、配管への識別表示の手間を軽減できる。また、容易にこれらを識別してバルブの誤操作を防止することが可能なバルブ用ハンドルカバーである。
【００１６】
請求項３に係る発明によると、ワンタッチで簡単にバルブ用ハンドルに着脱することのできるバルブ用ハンドルカバーであり、配管工事後の仕上げ工事などでも容易にハンドル色を変更することができる。装着後にはバルブに対してあらゆる方向から視認可能であり、流体種別等を正しく認識することができ、また、弾性力及び摩擦力によってハンドルに確実に装着しているため、ハンドルから脱落するおそれのないバルブ用ハンドルカバーである。
【００１７】
請求項４に係る発明によると、装着後にバルブ用ハンドルからずれたり脱落したりすることを防止できるバルブ用ハンドルカバーであり、また、ハンドルから簡単に取外すことができ、狭い空間に設置されたバルブに装着されている場合でも着脱が容易なバルブ用ハンドルカバーである。
【００１８】
請求項５に係る発明によると、ハンドルへの装着状態を確実に維持できると共に、取付工具などを必要とすることなく簡単な着脱により繰り返し使用可能なバルブ用ハンドルカバーである。また、本体のみで着脱可能であることから着脱作業時の携帯性にも優れている。
【００１９】
請求項６に係る発明によると、ハンドルに対して強固に装着して第三者による悪戯などを防止できるバルブ用ハンドルカバーである。また、カバー本体の着脱部位を省略できるため製造時のコストも削減可能なバルブ用ハンドルカバーである。
【発明を実施するための最良の形態】
【００２０】
本発明におけるバルブ用ハンドルカバーの好ましい実施形態を図面に基づいて説明する。
図１、２及び７において、配管系３０は施設等に設けられ内部には回転弁であるバルブ１や図示しない管継手等の配管を備えている。配管系３０への識別表示は、塗装又はステッカー、或は必要事項を表示した札を管に取付けるなどの表示が可能であるが、本実施形態においては、配管系３０の外周囲に識別表示色を施したステッカー３１ａ、３１ｂ、３１ｃを貼着して識別表示を行っている。識別表示色としては、例えば、図７（ａ）を緑色、図７（ｂ）を青色、図７（ｃ）をオレンジ色として、この場合、それぞれがドレン用、冷水用、温水用となる。なお、図７においてこの識別表示色をドット、斜線によって示している。また、流体の種類等及び流れ方向に応じてステッカー３１ａ、３１ｂ、３１ｃの表面に文字３２ａ、３２ｂ、３２ｃと、矢印３３を施すようにしてもよく、この場合、文字３２ａ、３２ｂ、３２ｃ及び矢印３３はともに白又は黒を用いて識別色の上に記載するようにするのがよい。
回転弁１は、本実施形態においては最も汎用性が高いといわれているボールバルブとし、このボールバルブ１には、必要に応じて図示しない保温処理を施している。このボールバルブ１には、ステム取付側において取付穴２ｃを介してボルト・ナット３による固着手段によって手動ハンドル２が取り付けられている。手動ハンドル２は、金属材料を素材として板材をプレス加工によって屈曲部２ａを有する略Ｊ字形状に形成し、このレバー状のレバーハンドル２の手動操作部位であるグリップ位置の外周面２ｂにディッピング加工により塩ビ（塩化ビニール樹脂）のコーティングからなる被覆層４によって包囲するように被覆している。被覆層４は、バルブの製造業者特有の既成の色（例えば、赤色）により形成されており、この被覆層４を有する手動ハンドル２にて、金属材料からなる板材の部位に触れることなく、ボールバルブ１を手動操作可能としている。
【００２１】
カバー体１１は、図３に示すようにレバーハンドル２と略同様の略Ｊ字形状のレバー形態を呈し、かつ、図４のような断面略コ字形状を呈している。このカバー体１１は、レバーハンドル２の被覆層４の上から着脱自在に装着可能に設けており、配管系３０の識別表示色に対応して識別表示色と同色の成形材料で形成して、各カバー体１１ごとに識別表示色に対応した異なる色を施している。このカバー体１１は、配管工事の終了時などにレバーハンドル２の上から覆い被せるように装着して、既製の被覆層４を覆い隠せるようにしている。このとき、カバー体１１は、少なくともレバーハンドル２の上面及び側面を覆うように屈曲形成した両側部１４、１４の長さを被覆層４を設けたレバーハンドル２の厚みより厚く形成している。これにより、既製の被覆層４がレバーハンドル２により確実に覆われて視認できなくなり、あらたにカバー体１１に施された識別色をボールバルブ１の上側、両側からの３方向から正しく認識することが可能となる。
このカバー体１１を形成する材質としては耐熱ＡＢＳ樹脂が好ましい。
【００２２】
折曲部１２はレバーハンドル２の屈曲部２ａの形状に対応するように折曲形成し、この折曲部１２を屈曲部２ａに装着可能に設けている。
また、係止突部１３は、図４、５に示すようにカバー体１１の側部１４の内周部位の適宜位置に突設形成するようにし、本実施形態においては、各側部１４、１４の各２箇所の計４箇所に形成している。カバー体１１のレバーハンドル２への装着時には、この係止突部１３によってレバーハンドル２の側面側から被覆層４の外周を掛止するようにしてワンタッチで装着可能となる。このカバー体１１は、レバーハンドル２に対して両面テープ２５を介して装着するようにしてもよく、両面テープ２５を用いて貼着する場合、この両面テープ２５を単体で用いるか、或は係止突部１３を設けた場合の補強として用いるかの何れであってもよい。両面テープ２５は、カバー体１１の裏面側に貼付けておき、使用時に図示しない剥離紙を剥すようにすればよい。
【００２３】
カバー体１１の装着後においては、カバー体１１内面側の上部当接面１５が当接した状態で両側部１４、１４でこのレバーハンドル２を挟持しながら係止突部１３を掛止することでレバーハンドル２に装着し、レバーハンドル２の上下方向に対するカバー体１１の脱落を確実に防止し、更に、側部１４、１４が有する弾性力によっても脱落を防止している。
【００２４】
また、レバーハンドル２の前後左右方向に対しては、カバー体１１の折曲部１２をレバーハンドル２の屈曲部２ａに装着していることで、カバー体１１がずれることを防止している。更に、カバー体１１のステム取付側と反対の端部側にはレバーハンドル２の端部側を覆うような端部屈曲部１７を形成しており、この端部屈曲部１７の内面にレバーハンドル２の端部側が当接することでカバー体１１のずれや脱落を防止している。
端部屈曲部１７には、図６に示すように切欠部１８を切り欠いて設けており、この切欠部１８を設けることで側部１４、１４を分割した状態で左右にそれぞれ独立させてレバーハンドル２の挟持方向への弾力性を確保している。これにより、カバー体１１の装着時にレバーハンドル２の被覆層４が係止突部１３に当接して更にカバー体１１を装着方向に押圧したときに側部１４、１４が左右側に容易に広がり、カバー体１１を簡単に装着することが可能となる。また、カバー体１１を取外す場合も同様に、側部１４、１４が弾性力によって左右に広がるため容易に取外し可能となる。
レバーハンドル２の端部側の被覆層４は、図８に示すように、ワイヤー３４等に係止したレバーハンドル２を、塩化ビニル層からなるディッピング液３５に順次浸漬する大量生産型の製造工程で形成している。レバーハンドル２は、その取付孔２ｃをワイヤー３４に係止され、垂下された状態でディッピング液３５に浸漬された後、引き上げられ、乾燥により固化した被覆層４を得る。従って、ディッピング液３５からレバーハンドル２を引き上げた際に、レバーハンドル２の端部側の末端４ａが、ディッピング液３５の液ダレを生じやすく、形状が不安定な部位となるため、カバー体１１を末端４ａの形状に対応させるのが難しい。そこで、レバーハンドル２の端部側の被覆層４に切欠部１８を設けることで、この不安定な部位である末端４ａと端部屈曲部１７の干渉を可能な限り回避して、被覆層４がずれたり剥がれたりするのを防止しつつ、カバー体１１をレバーハンドル２に確実に装着できるようにしている。
カバー体１１を装着する際には、端部屈曲部１７をレバーハンドル２の端部側に当接させるような状態にしながら折曲部１２を押圧するようにすれば装着が容易となる。
【００２５】
なお、レバーハンドル２の把持部位を、図５に示すようにステム取付側方向に広がる平面テーパ状とし、この形状に沿うようにカバー体１１のテーパ側部１４ａ、１４ａを形成している。カバー体１１の端部屈曲部１７に形成した切欠部１８を大きく形成した場合や、レバーハンドル２に対するカバー体１１の着脱を容易にする場合などでは、前記端部屈曲部１７とレバーハンドル２の端部との当接が不十分となるが、テーパ端部１４ａ、１４ａとレバーハンドル２の対応部分とが当接してカバー体１１がステム取付側に移動するのを阻止することができる。
また、前後左右、上下方向の何れの方向に対しても、カバー体１１とレバーハンドル２の被覆層４との間に生じる弾性力及び摩擦力によってカバー体１１をレバーハンドル２に挟持した状態で維持することが可能となる。
【００２６】
カバー体１１を取外す場合には、カバー体１１の折曲部１２よりもステム取付側を把持しながら上方向に持ち上げるようにすれば、端部屈曲部１７側においてレバーハンドル２の被覆層４との当接部位を支点としててこの原理が働き、カバー体１１を小さい力で容易に取外すことが可能となる。
【００２７】
カバー体１１の外周面側には、開閉操作方向、流体名、流れ方向等を記した表示文字２１と表示シール２２とからなる表示部２０を設けている。この表示部２０は、配管系３０に表示される識別表示色と、流体の表示及び矢印方向に対応して施されており、表示部２０の識別色は配管系３０のステッカーの識別表示色と同色である。表示文字２１はカバー体１１の表面に凸又は凹状に施され、開閉操作方向を示すＳ（ＳＨＵＴ）、Ｏ（ＯＰＥＮ）の文字と、開閉方向の矢印を記している。この開閉操作方向の表示はＳとＯの組合せ以外であってもよく、例えば、開と閉の組合せとしてもよい。更に、これら以外の適宜の表示を施してもよい。
図３、図４における凹座１９は、カバー体１１表面を凹状に刻設して設けたものであり、この凹座１９に流体名、流れ方向等を印刷した表示シール２２を背面側に設けた貼着面２３によって貼着している。表示シール２２には図のような流体名及び流れ方向以外の表示を施してもよいが、表示面側の色についてはカバー体１１の識別色に応じた色に設けるのが好ましい。
【００２８】
なお、本実施形態においては、ハンドルをボールバルブ用のレバーハンドルとしたが、これ以外にも、例えば、ゲートバルブやグローブバルブ、或はバタフライバルブのギア操作機などの円形ハンドルや、それ以外のバルブ用ハンドルの形状に対応した形状に形成することもできる。また、本実施形態においては、被覆層４を有する手動操作ハンドル２にカバー体１１を装着しているが、被覆層４を有することなく金属製や樹脂製のハンドルにカバー体１１を直接装着するようにしてもよい。
【００２９】
次に、本発明におけるバルブ用ハンドルカバーの上記実施形態の作用を説明する。
本発明のバルブ用ハンドルカバーは、レバーハンドル２に略同様の形態を呈するカバー体１１を装着し、このカバー体１１は、配管系３０の識別表示色に対応した識別色を施しているので、バルブ１を手動操作するハンドルで直接、確実に識別することができバルブ１を誤認することがない。また、カバー体１１には配管系３０の識別表示色に対応して多色の色を容易に施すことができるため低コストにでき、多色の識別色のカバー体１１を用意しておくことで在庫管理が容易になり、運搬などの工数を削減することができる。また、補充が必要な場合でも容易に対応することができる。このカバー体１１は、容易に配管系３０に対応して着脱してバルブ１の識別表示色を変えることができる。
また、配管の設計者は、異なる製造者から識別色の異なるバルブを収集する必要がないため手間がかかることがなく、１つの製造者から一括して複数の識別色を施したカバー体１１を得ることができ、量が増えることでコストダウン効果も期待できる。
【産業上の利用可能性】
【００３０】
本発明は、工場・鉱山・学校・劇場・船舶・車両・航空保安施設や、病院、製薬会社などの配管系において使用されるバルブを識別するために用いるのが好適であるが、上記以外の配管系に用いたり、或は、単に装飾用としてバルブのハンドルに装着することもできる。また、これらの場合、古くなったり劣化したりしたバルブに新たに装着することによって開閉操作が容易になる等のあらたな効果も期待でき、このような識別機能以外を目的としたハンドル用カバーとしても使用できる。
また、各種のバルブ用ハンドルカバーの形状に対応させることにより、ボールバルブ以外の回転弁や、或はそれ以外の各種のバルブに応用することもできる。
【図面の簡単な説明】
【００３１】
【図１】本発明のバルブ用ハンドルカバーの一実施形態を示す斜視図である。
【図２】図１のバルブ用ハンドルカバーを装着した状態を示す斜視図である。
【図３】図２の一部拡大断面図である。
【図４】図３のＡ−Ａ線拡大断面図である。
【図５】本発明のバルブ用ハンドルカバーを装着した状態を示す底面図である。
【図６】図３のＢ方向端面図である。
【図７】（ａ）ないし（ｃ）は、配管系を示した概略図である。
【図８】レバーハンドルの一製造工程を示す概略図である。
【符号の説明】
【００３２】
１  バルブ
２  レバーハンドル（手動ハンドル）
２ａ  屈曲部
２ｂ  外周面
４  被覆層
１１  カバー体
１２  折曲部
１３  係止突部
２０  表示部
２５  両面テープ
３０  配管系
【図１】
2005273706.tif 000003
【図２】
2005273706.tif 000004
【図３】
2005273706.tif 000005
【図４】
2005273706.tif 000006
【図５】
2005273706.tif 000007
【図６】
2005273706.tif 000008
【図７】
2005273706.tif 000009
【図８】
2005273706.tif 000010